(57)【要約】【課題】記録メディアが一杯のときにスムースに不要ファイルの削除ができ、しかも記録メディアの残容量を容易に知ることができる様にする。【解決手段】撮影モードによる撮影で生じる画像データの保存のための記録メディアの空き容量が不足するか否かを判定し（ステップＳ１２）、不足する場合には該撮影前にその旨を外部に報知する（ステップＳ１３）と共に自動的に削除モードに移行して（ステップＳ１４）、記録メディア内の不要ファイル削除の操作入力を待機し（ステップＳ１５）、削除操作が行われる場合には実際に削除する前に削除候補画像が選択された状態で該削除候補画像を削除したとき生じる空き容量を表示し（ステップＳ１８、Ｓ２６）、実際に削除する操作が行われ記録メディアの空き容量不足が解消したとき撮影モードに自動的に移行する（ステップＳ３４）。【選択図】図２
2008245072.tif 000002
【特許請求の範囲】
【請求項１】
被写体の画像を新たに撮影する撮影モードで撮影して得た前記被写体の画像データを記録メディアに保存する撮影制御方法において、前記撮影モードによる撮影で生じる画像データの保存のための前記記録メディアの空き容量が不足するか否かを判定し、不足する場合には該撮影前にその旨を外部に報知すると共に自動的に削除モードに移行して前記記録メディア内の不要ファイル削除の操作入力を待機し、削除操作が行われる場合には実際に削除する前に削除候補画像が選択された状態で該削除候補画像を削除したとき生じる空き容量を表示し、実際に削除する操作が行われ前記記録メディアの空き容量不足が解消したとき前記撮影モードに自動的に移行することを特徴とする撮影制御方法。
【請求項２】
実際に削除する操作が行われ、前記削除モードの終了指示の操作入力が有り、且つ前記記録メディアの空き容量不足が解消したとき前記撮影モードに自動的に移行することを特徴とする請求項１に記載の撮影制御方法。
【請求項３】
撮影された同一シーンの画像データがＲＡＷデータとＪＰＥＧ画像データの両方で同時記録されている場合には、ＲＡＷデータを削除したとき生じる前記空き容量と、ＪＰＥＧ画像データを削除したとき生じる前記空き容量とを併記して表示することを特徴とする請求項１または請求項２に記載の撮影制御方法。
【請求項４】
前記空き容量の表示は、撮影可能枚数で表示することを特徴とする請求項１乃至請求項３のいずれかに記載の撮影制御方法。
【請求項５】
前記撮影可能枚数は、記録可能な画像サイズ毎に表示することを特徴とする請求項４に記載の撮影制御方法。
【請求項６】
撮影装置に設けられた表示パネルにエラー表示を行うことで前記外部への報知を行うことを特徴とする請求項１乃至請求項５のいずれかに記載の撮影制御方法。
【請求項７】
前記削除モードによる不要ファイルの指定を複数行い、その後に該複数の不要ファイルを一括して削除することを特徴とする請求項１乃至請求項６のいずれかに記載の撮影制御方法。
【請求項８】
被写体の画像を新たに撮影する撮影モードで撮影して得た前記被写体の画像データを記録メディアに保存する撮影制御装置において、前記撮影モードによる撮影で生じる画像データの保存のための前記記録メディアの空き容量が不足するか否かを判定する手段と、該判定の結果不足する場合には該撮影前にその旨を外部に報知する手段と、前記判定の結果不足する場合には自動的に削除モードに移行する手段と、前記判定の結果不足する場合には前記記録メディア内の不要ファイル削除の操作入力を待機する手段と、削除操作が行われる場合には実際に削除する前に削除候補画像が選択された状態で該削除候補画像を削除したとき生じる空き容量を表示する手段と、実際に削除する操作が行われ前記記録メディアの空き容量不足が解消したとき前記撮影モードに自動的に移行する手段とを備えることを特徴とする撮影制御装置。
【請求項９】
実際に削除する操作が行われ、前記削除モードの終了指示の操作入力が有り、且つ前記記録メディアの空き容量不足が解消したとき前記撮影モードに自動的に移行することを特徴とする請求項８に記載の撮影制御装置。
【請求項１０】
撮影された同一シーンの画像データがＲＡＷデータとＪＰＥＧ画像データの両方で同時記録されている場合には、ＲＡＷデータを削除したとき生じる前記空き容量と、ＪＰＥＧ画像データを削除したとき生じる前記空き容量とを併記して表示することを特徴とする請求項８または請求項９に記載の撮影制御装置。
【請求項１１】
前記空き容量の表示は、撮影可能枚数で表示することを特徴とする請求項８乃至請求項１０のいずれかに記載の撮影制御装置。
【請求項１２】
前記撮影可能枚数は、記録可能な画像サイズ毎に表示することを特徴とする請求項１１に記載の撮影制御装置。
【請求項１３】
撮影装置に設けられた表示パネルにエラー表示を行うことで前記外部への報知を行うことを特徴とする請求項８乃至請求項１２のいずれかに記載の撮影制御装置。
【請求項１４】
前記削除モードによる不要ファイルの指定を複数行い、その後に該複数の不要ファイルを一括して削除することを特徴とする請求項８乃至請求項１３のいずれかに記載の撮影制御装置。
【請求項１５】
被写体の画像を新たに撮影する撮影モードで撮影して得た前記被写体の画像データを記録メディアに保存する撮影制御プログラムにおいて、前記撮影モードによる撮影で生じる画像データの保存のための前記記録メディアの空き容量が不足するか否かを判定するステップと、該判定の結果不足する場合には該撮影前にその旨を外部に報知するステップと、前記判定の結果不足する場合には自動的に削除モードに移行するステップと、前記判定の結果不足する場合には前記記録メディア内の不要ファイル削除の操作入力を待機するステップと、削除操作が行われる場合には実際に削除する前に削除候補画像が選択された状態で該削除候補画像を削除したとき生じる空き容量を表示するステップと、実際に削除する操作が行われ前記記録メディアの空き容量不足が解消したとき前記撮影モードに自動的に移行するステップとを備えることを特徴とする撮影制御プログラム。
【請求項１６】
実際に削除する操作が行われ、前記削除モードの終了指示の操作入力が有り、且つ前記記録メディアの空き容量不足が解消したとき前記撮影モードに自動的に移行することを特徴とする請求項１５に記載の撮影制御プログラム。
【請求項１７】
撮影された同一シーンの画像データがＲＡＷデータとＪＰＥＧ画像データの両方で同時記録されている場合には、ＲＡＷデータを削除したとき生じる前記空き容量と、ＪＰＥＧ画像データを削除したとき生じる前記空き容量とを併記して表示することを特徴とする請求項１５または請求項１６に記載の撮影制御プログラム。
【請求項１８】
前記空き容量の表示は、撮影可能枚数で表示することを特徴とする請求項１５乃至請求項１７のいずれかに記載の撮影制御プログラム。
【請求項１９】
前記撮影可能枚数は、記録可能な画像サイズ毎に表示することを特徴とする請求項１８に記載の撮影制御プログラム。
【請求項２０】
撮影装置に設けられた表示パネルにエラー表示を行うことで前記外部への報知を行うことを特徴とする請求項１５乃至請求項１９のいずれかに記載の撮影制御プログラム。
【請求項２１】
前記削除モードによる不要ファイルの指定を複数行い、その後に該複数の不要ファイルを一括して削除することを特徴とする請求項１５乃至請求項２０のいずれかに記載の撮影制御プログラム。
【請求項２２】
被写体の画像データを撮像する固体撮像素子と、画像データを記録する記憶メディアが接続されるメディア制御部と、表示パネルと、操作入力用のキー入力手段と、請求項１５乃至請求項２１のいずれかに記載の撮影制御プログラムを格納したメモリと、該撮影制御プログラムを実行する制御手段とを備えることを特徴とする撮影装置。
【発明の詳細な説明】
【技術分野】
【０００１】
本発明は、デジタルカメラなど撮像画像データを記録メディアに保存する撮影制御方法及びその装置並びに撮影制御プログラム，撮影装置に関する。
【背景技術】
【０００２】
撮像画像データを記録メディアに保存する撮影装置では、撮影時に記録メディアの空き容量が不足したとき、ユーザに対し、記録メディア内の不要データの削除を促すものがある。
【０００３】
例えば、特許文献１記載の従来技術では、撮影者がシャッタボタンを押下したとき、記録メディアがフル状態で撮像画像データを保存できないとき、記録メディア内の音楽ファイルを再生し、消去確認する機能を備えている。
【０００４】
また、下記特許文献２記載の従来技術では、記録メディアに保存されている不要画像データを削除したとき、削除後の記録メディアの残容量（空き容量）を記録可能枚数で表示するものもある。
【０００５】
【特許文献１】特開２００２―１６２９９７号公報
【特許文献２】特開２００４―１９３６４２号公報
【発明の開示】
【発明が解決しようとする課題】
【０００６】
記録メディアが一杯で撮影ができない時に、上述した従来技術の様に、撮影するたびに音声ファイルが再生され、確認作業が必要になると、撮影をスムースに行えないという問題がある。また、記録メディアが一杯な状態で撮影を何回も行う場合には、音声ファイルの削除と撮影とを交互に行うことになり、シャッタチャンスを逃す虞が高くなる。
【０００７】
また、不要画像データを削除した後に記録メディアの残容量を記録可能枚数で表示する場合でも、複数枚の削除対象画像を選びながらチェック印を付けて探し、これらを一度に削除するとき、削除前に事前に記録メディアに確保できる残容量の記録可能枚数を知ることができなければ、一枚一枚の画像を削除して記録メディアの残容量を確認しながら削除せざるを得ず、使い勝手が悪いという問題がある。
【０００８】
本発明の目的は、記録メディアが一杯のときにスムースに不要ファイルの削除ができ、しかも記録メディアの残容量を容易に知ることができる使い勝手の良い撮影制御方法及びその装置並びに撮影制御プログラム、撮影装置を提供することにある。
【課題を解決するための手段】
【０００９】
本発明の撮影制御方法，制御装置，制御プログラムは、被写体の画像を新たに撮影する撮影モードで撮影して得た前記被写体の画像データを記録メディアに保存する撮影制御方法において、前記撮影モードによる撮影で生じる画像データの保存のための前記記録メディアの空き容量が不足するか否かを判定し、不足する場合には該撮影前にその旨を外部に報知すると共に自動的に削除モードに移行して前記記録メディア内の不要ファイル削除の操作入力を待機し、削除操作が行われる場合には実際に削除する前に削除候補画像が選択された状態で該削除候補画像を削除したとき生じる空き容量を表示し、実際に削除する操作が行われ前記記録メディアの空き容量不足が解消したとき前記撮影モードに自動的に移行することを特徴とする。
【００１０】
本発明の撮影制御方法，制御装置，制御プログラムは、実際に削除する操作が行われ、前記削除モードの終了指示の操作入力が有り、且つ前記記録メディアの空き容量不足が解消したとき前記撮影モードに自動的に移行することを特徴とする。
【００１１】
本発明の撮影制御方法，制御装置，制御プログラムは、撮影された同一シーンの画像データがＲＡＷデータとＪＰＥＧ画像データの両方で同時記録されている場合には、ＲＡＷデータを削除したとき生じる前記空き容量と、ＪＰＥＧ画像データを削除したとき生じる前記空き容量とを併記して表示することを特徴とする。
【００１２】
本発明の撮影制御方法，制御装置，制御プログラムの前記空き容量の表示は、撮影可能枚数で表示することを特徴とする。
【００１３】
本発明の撮影制御方法，制御装置，制御プログラムの前記撮影可能枚数は、記録可能な画像サイズ毎に表示することを特徴とする。
【００１４】
本発明の撮影制御方法，制御装置，制御プログラムは、撮影装置に設けられた表示パネルにエラー表示を行うことで前記外部への報知を行うことを特徴とする。
【００１５】
本発明の撮影制御方法，制御装置，制御プログラムは、前記削除モードによる不要ファイルの指定を複数行い、その後に該複数の不要ファイルを一括して削除することを特徴とする。
【００１６】
本発明の撮影装置は、被写体の画像データを撮像する固体撮像素子と、画像データを記録する記憶メディアが接続されるメディア制御部と、表示パネルと、操作入力用のキー入力手段と、上記のいずれかに記載の撮影制御プログラムを格納したメモリと、該撮影制御プログラムを実行する制御手段とを備えることを特徴とする。
【発明の効果】
【００１７】
本発明によれば、記録メディアが一杯のときにスムースに不要ファイルの削除ができ、しかも、削除候補画像を削除したときにどの程度の撮影枚数が確保できるかを削除前に知ることができるため、使い勝手が良くなる。
【発明を実施するための最良の形態】
【００１８】
以下、本発明の一実施形態について、図面を参照して説明する。
【００１９】
図１は、本発明の一実施形態に係る撮影装置の機能ブロック図である。本実施形態の撮影装置１は、被写体からの光学像を電気信号に変換するＣＣＤ等の固体撮像素子１１と、固体撮像素子１１の出力信号に相関二重サンプリング処理や利得制御処理などを施すＣＤＳＡＭＰ部１２と、ＣＤＳＡＭＰ部１２から出力されるアナログの撮像画像信号をデジタル信号に変換するＡ／Ｄ変換部１３と、固体撮像素子１１の駆動タイミング信号を発生するタイミングジェネレータ１４と、撮影装置１の全体を統括制御する演算処理部（ＣＰＵ）１５とを備える。
【００２０】
ＣＰＵ１５には、ユーザからの指示入力を受け付けるキー入力部（レリーズボタンや電源オンオフボタン、ＯＫ／十字ボタン、モード切換ボタン、削除指示ボタン、キャンセルボタン等を含む）１７と、固体撮像素子１１の前面に配置された図示しない撮影レンズのズーム位置制御やフォーカス位置制御，絞り位置制御を行う各種モータのモータドライバ１８とが接続されると共に、ＣＰＵ１５は、検出部１９が検出したズーム位置，フォーカス位置，絞り位置を取り込み、各種制御を行う。また、ＣＰＵ１５は、ＣＤＳＡＭＰ部１２の制御も行う。
【００２１】
この撮影装置１は、更に、Ａ／Ｄ変換部１３から出力されたデジタル画像信号を取り込む画像入力コントローラ２１と、ＡＦ（自動焦点）検出回路２２と、画像信号処理回路２３と、ＡＥ（自動露出）およびＡＷＢ（オートホワイトバランス）検出部２４と、画像データをＪＰＥＧ画像データに圧縮する圧縮処理回路２５と、メインメモリとして使用されるＳＤＲＡＭ（Synchronous Dynamic Random Access Memory）２６と、液晶などの表示パネル２９の表示制御を行うビデオエンコーダ２７と、ＶＲＡＭ（Video Random Access Memory）２８と、着脱自在に装着される記録メディア３５の読み書き制御を行うメディアコントローラ３０と、日付データ等を保存するＳＲＡＭ（Static Random Access Memory）３１と、これら及びＣＰＵ１５を相互接続するバス３３と、ＳＲＡＭ３１の保存内容を保持するコンデンサ（キャパシタ）等のバックアップ電源３４とを備える。また、図示しない電源部を備え、この電源部から上記の各構成回路に電源が供給される。
【００２２】
斯かる撮影装置１では、電源スイッチが投入され且つ記録モード（撮影モード）になっている状態では、固体撮像素子１１から、常時（１秒間に１０フレームとか２０フレームで）、撮像画像データがスルー画像データとして出力される状態になっている。このスルー画像データは、ＣＤＳＡＭＰ部１２→Ａ／Ｄ変換回路１３→画像入力コントローラ２１→バス３３と流れ、このスルー画像データにより、ＡＦ検出回路２２が被写体までの焦点距離を計測し、ＡＥ／ＡＷＢ検出回路２４は、被写体の測光とオートホワイトバランス量の計測を行っている。
【００２３】
そして、シャッタレリーズボタンが押下されると、被写体の静止画が撮像され、固体撮像素子１１からＲ（赤）Ｇ（緑）Ｂ（青）の画素信号で構成された静止画像データが出力される。この静止画像データは、ＣＤＳＡＭＰ部１２→Ａ／Ｄ変換回路１３→画像入力コントローラ２１→バス３３と流れ、ＳＤＲＡＭ２６に一時的に保存される。
【００２４】
画像信号処理回路２３は、ＳＤＲＡＭ２６に一時的に保存された非圧縮状態の画像データ（ＲＡＷデータ）に対し、ＲＧＢ／ＹＣ変換処理やガンマ補正処理等の画像処理を施すと共に圧縮処理回路２５がこれを更にＪＰＥＧ画像データに変換する。また、ＪＰＥＧ画像データを表示パネル２９の画素数となるように間引き処理してＶＲＡＭ２８に転送し、ビデオエンコーダ２７がＶＲＡＭ２８上の画像データを表示パネル２９に表示する。また、ＪＰＥＧ画像データからサムネイル画像データが生成され、これがＲＡＷデータのイグジフ（ｅｘｉｆ）情報内に保存される。
【００２５】
記録メディア３５に保存する画像データの種類としてユーザが「ＲＡＷデータ」を選択していれば、ＲＡＷデータの画像データが記録メディア３５に記録され、ＪＰＥＧ画像データ」が選択されていれば、ＪＰＥＧ画像データが記録される。また、「ＲＡＷデータ＋ＪＰＥＧ画像データ」を選択していれば、同一シーンを撮影したＲＡＷデータとＪＰＥＧ画像データの両方が共に記録メディア３５に同時記録される。
【００２６】
この様な処理が被写体の撮像毎に繰り返され、画像データが記録メディア３５に蓄積されていくと、記録メディア３５の空き容量が少なくなってくる。この場合、ユーザは、撮影装置１を操作して不要な画像データを削除することになる。しかし、記録メディア３５の残量を撮影毎にチェックするのは面倒であるため、本実施形態の撮影装置では、次に述べる様な撮影制御プログラムを搭載している。
【００２７】
図２は、本発明の第１実施形態に係る撮影制御プログラムの処理手順を示すフローチャートである。本実施形態では、図３に示す様に、表示パネル２９の１画面に複数枚、図示の例では４枚の画像データを表示し、ユーザが十字ボタン４５を操作することで表示カーソル（太枠で示す）を移動させ、削除対象の画像データを選択する構成になっている。
【００２８】
先ず、ステップＳ１１で撮影モードになることを待機し、次のステップＳ１２で、記録メディアが一杯であるか否かを判定する。ＲＡＷデータで保存する設定になっている場合には、１枚のＲＡＷデータを保存する空き容量があるか否かを判定する。「ＲＡＷ＋ＪＰＥＧ」で保存する設定になっている場合には、ＲＡＷデータとＪＰＥＧ画像データの両方を保存する空き容量があるか否かを判定する。
【００２９】
ＪＰＥＧ画像データで保存する設定になっている場合には、１枚のＪＰＥＧ画像データを保存する空き容量があるか否かを判定する。保存する画像データの容量は、画像の大きさ（例えば、６４０×４８０ピクセル，１２８０×９６０ピクセルなど）によって異なるため、この撮影条件の設定も考慮して判定する。
【００３０】
記録メディアが一杯でない場合には、この図２の処理を終了し、或いはステップＳ１に戻る。
【００３１】
ステップＳ１２の判定の結果、記録メディアの残容量が不足すると判断した場合には、次のステップＳ１３で図３（ａ）に示すエラー表示を行い、ステップＳ１４で、自動的に削除モードに遷移する。エラー表示の替わりに音声による報知を行っても良く、両者を併用しても良い。
【００３２】
そして、ステップＳ１５で、ＯＫ／十字ボタン４４，４５が操作されたか否かを判定する。ステップＳ１５の判定の結果、十字ボタン４５の入力がある場合には、次のステップＳ１６で十字ボタン４５が押された方向に、図３（ｂ）に太枠で表示する表示カーソル５０を移動させる。
【００３３】
次に、表示カーソル位置の画像データ容量を取得し、この画像データを削除したときの記録メディアの空き容量を計算し（ステップＳ１７）、この空き容量を、表示カーソル移動前に表示されていた空き容量に変えて表示する。この空き容量の表示は、現在の撮影条件下における記録可能枚数で表示する（ステップＳ１８）。ステップＳ１５に戻り、再び十字ボタン４５が操作された場合には、次の４枚の画像データが表示パネル２９に表示され、ユーザはこの４枚の画像データから削除対象を選択する。
【００３４】
ステップＳ１５の判定の結果、ＯＫボタン４４，十字ボタン４５の入力が無い場合には次にステップＳ２０に進み、削除指示があったか否か即ち、削除ボタン４２の押下があったか否かが判定され、押下無しの場合にはステップＳ１５に戻る。
【００３５】
削除ボタン４２が押下された場合には、次に表示カーソルで示される画像データが同一シーンの同時記録画像（ＲＡＷデータ＋ＪＰＥＧ画像データ）であるか否かを判定する（ステップＳ２１）。
【００３６】
同時記録画像データである場合には、その画像種別（ＲＡＷデータであるか、ＪＰＥＧ画像データであるか）を、図３（ｃ）に示す様に表示し（ステップＳ２２）、再び削除指示即ち削除ボタン４２の押下の有無を判定する（ステップＳ２３）。削除指示が無い場合にはステップＳ１５に戻り、削除指示があった場合には、次のステップＳ２４に進む。
【００３７】
ステップＳ２１で同時記録画像データで無いと判定された場合、あるいは、ステップＳ２３で削除指示があると判定された場合に進むステップＳ２４では、表示カーソル位置にある画像データ（同時記録画像データの場合にはステップＳ２３で選択された画像種別の画像データ）にチェック印を付す（図３（ｄ）参照）。
【００３８】
次のステップＳ２５では、ステップＳ２４でチェック印が付された画像データの容量と記録メディアの残容量とによりこの画像データを削除した後の記録メディアの残容量を算出し、ステップＳ２６で、この残容量に基づく空き容量を撮影記録枚数で表示する。
【００３９】
図３（ｂ）には、「ＲＡＦ  ８枚空発生」「ＪＰＥＧ  １枚空発生」「０枚撮影可能」と表示されている。表示カーソル５０の位置の画像データに「Ｒ」「Ｊ」が重ねて表示されているが、これは、この画像データとしてＲＡＷデータとＪＰＥＧ画像データの両方が存在することを示しており、「ＲＡＦ  ８枚空発生」は「ＲＡＷデータを削除した場合、現在の撮影条件として設定されているＪＰＥＧ画像を撮像するとき８枚分の空きが発生する」ことを示している。「ＲＡＦ」とは、ＲＡＷデータのファイル名の拡張子である。
【００４０】
「ＪＰＥＧ  １枚空発生」とは、このＪＰＥＧ画像データを削除した場合には１枚分の空き容量が発生することを意味し、「０枚撮影可能」とは、未だ削除指示が入力されていないため、撮影記録枚数が「０」枚であることを示している。
【００４１】
図３（ｄ）での表示は、「８枚撮影可能」となっている。これは、「Ｒ」欄のチェックボックスにチェック印が記入されているため、このＲＡＷデータが削除される予定のため８枚分のＪＰＥＧ画像データが撮影可能であることを示している。そして、「ＲＡＦ  ８枚空発生」は例えばグレー等の色替え表示され、選択が不可能（図３（ｄ）の例では、既に選択済みのため）であることを示す。
【００４２】
図３（ｅ）は、表示カーソル５０を次画像データに移動したときの状態を示している。この画像データには「Ｊ」しか表示が無いため、ＪＰＥＧ画像データのみが存在する。このため、「ＲＡＦ  ８枚空発生」の表示が無い。図３（ｆ）は、ＲＡＷデータのみが存在するため、「ＪＰＥＧ  １枚空発生」の表示が無い。
【００４３】
図３（ｇ）に示す様に、右下の画像データに表示カーソルを移動させ、「Ｒ」にチェック印を入れると、更に８枚のＪＰＥＧ画像データの撮影が可能となるため、この４枚の画像では、２つのＲＡＷデータにチェック印が付され、「１６枚撮影可能」と表示される。
【００４４】
ステップＳ１５で、ＯＫボタン４４が押下されると、ステップＳ２７に進み、チェック印が１つ以上あるか否かを判定する。チェック印がある場合には、削除する画像データが存在することを意味するため、ステップＳ２８に進み、削除確認画面を図３（ｈ）に示す様に表示する。
【００４５】
そして、次のステップＳ２９で、画像の削除がＯＫであるか否かをＯＫボタン４４の押下の有無で判定する。ＯＫボタン４４が押下されない場合にはステップＳ１５に戻って、次の４つの画像データの削除選択に進み、ＯＫボタン４４が押下された場合には、ステップＳ３０でチェック画像を記録メディアから削除する。この削除中は、図５（ｉ）の画面を表示する。
【００４６】
チェック画像を削除した後は、ステップＳ３１に進み、削除モードの終了指示がユーザから入力されたか否かを判定する。削除モードの終了指示が入力されない場合にはステップＳ１５に戻り、次の４枚の画像データの削除選択に戻る。
【００４７】
ステップ３１の判定の結果、削除モードの終了指示が入力された場合には、次にステップＳ３２に進み、ステップＳ１２と同様に記録メディアが一杯であるか否か即ち空き容量が十分あるか否かを判定する。
【００４８】
空き容量が不足する場合にはステップＳ３３でエラー表示を行った後、この処理を終了する。あるいは、ステップＳ１１に戻る。記録メディアが一杯でなく空き容量不足が解消した場合には、ステップＳ３４に進み、自動的に撮影モードに遷移し、この処理を終了する。
【００４９】
この様に、撮影モード時に記録メディアが一杯のときは削除モードに自動的に入ってユーザによる不要ファイルの削除を待ち、ユーザによる削除モードの終了指示があったとき自動的に撮影モードに遷移するため、撮影装置の使い勝手が向上する。
【００５０】
また、画像データを削除するモードに自動的に入ったとき、表示カーソルが存在する位置の画像データを削除したときに生じる撮影可能空き枚数を表示するため、１枚１枚の画像データの削除結果が事前に分かり、削除判断の指標になる。更に、削除しようとしてチェック印を付した場合、チェック印を付けた画像を削除したときの合計の空き容量を撮影可能枚数で表示するため、あと何枚削除すれば良いかの判断が容易となり、使い勝手が更に向上する。
【００５１】
図４は、本発明の第２実施形態に係る撮影制御プログラムの処理手順を示すフローチャートであり、図５は、この実施形態における図３に対応する表示パネルの画面例を示す図である。
【００５２】
本実施形態と、図４に示す実施形態の処理手順は全く同じであり、異なるのは、ステップＳ１７とステップＳ２５で表示する残容量の表示内容である。このため、本実施形態のフローチャートの説明は省略し、図５の表示内容について説明する。
【００５３】
図５（ｂ）には、削除候補の４枚の画像データが表示されており、そのうちの一枚の画像データが表示カーソル５０で選択されている。この画像は、ＲＡＷデータ＋ＪＰＥＧ画像データの同時記録データであり、両者を「組」として扱っている。
【００５４】
今現在の撮影条件がＲＡＷデータによる記録であるため、この画像データのＲＡＷデータを削除すると、１枚の撮像画像データ（ＲＡＷデータ）の撮影が可能となることを示している。また、この画像データのＪＰＥＧ画像データを削除しても撮像画像データ（ＲＡＷデータ）の撮影が不可能なため、「Ｊ」の後に０枚が表示されている。
【００５５】
その下にある「６Ｍ：Ｒ：１６枚」は、この画像のＲＡＷデータを削除すると、６Ｍ（メガ）の画像サイズのＪＰＥＧ画像データを１６枚撮影可能であることを示し、その右の「Ｊ：１枚」は、この画像のＪＰＥＧ画像データを削除したとき、６Ｍの画像サイズのＪＰＥＧ画像データを１枚撮影できることを示している。
【００５６】
その下の「３Ｍ：Ｒ：３２枚」は、この画像のＲＡＷデータを削除すると、３Ｍの画像サイズのＪＰＥＧ画像データを３２枚撮影可能であることを示し、その右の「Ｊ：２枚」は、この画像のＪＰＥＧ画像データを削除したとき、３Ｍの画像サイズのＪＰＥＧ画像データを２枚撮影できることを示している。
【００５７】
この様に、本実施形態では、撮影条件が変更され格納される画像サイズを変更した場合の撮影可能枚数が表示されるため、あと何枚撮影できるか、どの画像サイズを選べば良いかの判断が容易となり、使い勝手が向上する。
【００５８】
図５（ｄ）に示す様に、「Ｒ」をチェックすると、この画像のＲＡＷデータが削除対象として指定され、これにより、「Ｒ：１枚」とその下の「Ｒ：１６枚」「Ｒ：３２枚」「Ｒ：４８枚」がグレーなどに色替え表示され、選択が不可能（既にＲＡＷデータ削除が選択されているため）であることが示される。そして、一番右端に、合計の撮影可能枚数が表示される。
【００５９】
以上述べた実施形態によれば、ユーザが撮影装置で被写体画像を撮像しようとし記録メディアが一杯で撮影が不可能になったとき、自動的にファイル削除モードに遷移してユーザが不要ファイルの削除指示を入力できる画面に移行するため、迅速に不要ファイルの削除操作が可能となり、素早く撮影操作に入ることが可能となる。
【００６０】
また、削除モードの終了をユーザ指示に委ねるため、ユーザ主体で操作ができ、使い勝手が向上する。更に、不要ファイルを削除する場合に、その不要ファイルを削除した時に生じる空き容量を撮影可能枚数で表示するため、使い勝手が更に向上する。
【００６１】
特に、ＲＡＷデータとＪＰＥＧ画像データとを同時記録し両者を「組」として扱う撮影装置では、いずれか一方の画像データを削除しても影響が少ないため、記録メディアが一杯になったとき同時記録された組の一方の画像データが削除される可能性が高い。このとき、上述した様に、どちらの画像データを削除したときどの程度の空きが夫々生じ、更に、撮影する画像サイズを変更したとき何枚の撮影が可能かが実際に削除する前に表示されるため、ユーザの判断を補助することが可能となる。
【産業上の利用可能性】
【００６２】
本発明に係る撮影装置は、記録メディアが一杯の状態で撮影しようとしたとき自動的に不要ファイル削除モードに入り、しかも、どの画像を削除したときどの程度の撮影枚数が確保できるかが実際に削除する前に分かるため、素早く不要ファイルの削除ができ、デジタルカメラ等の撮影装置の使い勝手が向上する。
【図面の簡単な説明】
【００６３】
【図１】本発明の一実施形態に係る撮影装置の機能ブロック図である。
【図２】本発明の第１実施形態に係る撮影制御プログラムの処理手順を示すフローチャートである。
【図３】本発明の第１実施形態に係る処理手順実行時に表示パネルに表示される画面例を示す図である。
【図４】本発明の第２実施形態に係る撮影制御プログラムの処理手順を示すフローチャートである。
【図５】本発明の第２実施形態に係る処理手順実行時に表示パネルに表示される画面例を示す図である。
【符号の説明】
【００６４】
１  撮影装置
１１  固体撮像素子
１５  ＣＰＵ
１７  キー入力部
２５  圧縮処理回路
２９  表示パネル
３５  記録メディア
４１  モード選択ボタン
４２  削除ボタン
４４  ＯＫボタン
４５  十字ボタン
５０  表示カーソル
【図１】
2008245072.tif 000003
【図２】
2008245072.tif 000004
【図３】
2008245072.tif 000005
【図４】
2008245072.tif 000006
【図５】
2008245072.tif 000007